【手続補正書】
【提出日】平成18年9月4日(2006.9.4)
【手続補正１】
【補正対象書類名】明細書
【補正対象項目名】発明の名称
【補正方法】変更
【補正の内容】
【発明の名称】レーダ装置及び送受信切り換え方法
【手続補正２】
【補正対象書類名】明細書
【補正対象項目名】特許請求の範囲
【補正方法】変更
【補正の内容】
【特許請求の範囲】
【請求項１】  アンテナに送信波を供給する送信手段と、
前記アンテナで受信された受信波を処理する受信手段と、
前記送信手段から前記アンテナへの送信波の供給を接断する送信制御信号ならびに前記送信制御信号の反転信号である前記アンテナから前記受信手段への受信波の供給を接断する受信制御信号を発生する制御手段と、を具備するレーダ装置であって、
前記制御手段が、前記送信制御信号及び前記受信制御信号の中の一方の制御信号が状態遷移を完了するまで他方の制御信号の状態遷移を第１の遅延時間だけ遅延させる第１の遅延手段を含むレーダ装置。
【請求項２】  前記制御手段が、前記送信制御信号及び前記受信制御信号の中の他方の制御信号が状態遷移を完了するまで一方の制御信号の状態遷移を第２の遅延時間だけ遅延させる第２の遅延手段をさらに含む請求項１に記載のレーダ装置。
【請求項３】  アンテナに送信波を供給する送信手段と、
前記アンテナで受信された受信波を処理する受信手段と、
前記送信手段から前記アンテナへの送信波の供給を所定の遷移時間で接断する送信制御信号ならびに前記送信制御信号の反転信号である前記アンテナから前記受信手段への受信波の供給を前記所定の遷移時間で接断する受信制御信号を発生する制御手段と、を具備するレーダ装置であって、
前記制御手段が、前記送信制御信号及び前記受信制御信号の中の一方の制御信号の状態遷移時間を前記所定の遷移時間より短い第１の遷移時間に短縮する第１の遷移時間短縮手段を含むレーダ装置。
【請求項４】  前記制御手段が、前記送信制御信号及び前記受信制御信号の中の他方の制御信号の状態遷移時間を前記所定の遷移時間より短い第２の遷移時間に短縮する第２の遷移時間短縮手段をさらに含む請求項３に記載のレーダ装置。
【請求項５】  アンテナに送信波を供給する送信手段と、
前記アンテナで受信された受信波を処理する受信手段と、
前記送信手段から前記アンテナへの送信波の供給を接断する送信制御信号ならびに前記送信制御信号の反転信号である前記アンテナから前記受信手段への受信波の供給を接断する受信制御信号を発生する制御手段と、を具備するレーダ装置であって、
前記制御手段が、
前記送信制御信号及び前記受信制御信号の中の一方の制御信号が状態遷移を完了するまで他方の制御信号の状態遷移を第１の遅延時間だけ遅延させる第１の遅延手段と、
前記送信制御信号及び前記受信制御信号の中の一方の制御信号の状態遷移時間を前記第１の遅延時間より短時間である第１の遷移時間に短縮する第１の遷移時間短縮手段とを含むレーダ装置。
【請求項６】  アンテナに送信波を供給する送信手段と、
前記アンテナで受信された受信波を処理する受信手段と、
前記送信手段から前記アンテナへの送信波の供給を接断する送信制御信号ならびに前記送信制御信号の反転信号である前記アンテナから前記受信手段への受信波の供給を接断する受信制御信号を発生する制御手段と、を具備するレーダ装置であって、
前記制御手段が、
前記送信制御信号及び前記受信制御信号の中の他方の制御信号がオフ状態への遷移を完了するまで一方の制御信号の状態遷移を第２の遅延時間だけ遅延させる第２の遅延手段と、
前記送信制御信号及び前記受信制御信号の中の他方の制御信号の状態遷移時間を前記第２の遅延時間より短時間である第２の遷移時間に短縮する第２の遷移時間短縮手段とを含むレーダ装置。
【請求項７】  アンテナに送信波を供給する送信手段と、
前記アンテナで受信された受信波を処理する受信手段と、
前記送信手段から前記アンテナへの送信波の供給を接断する送信制御信号ならびに前記送信制御信号の反転信号である前記アンテナから前記受信手段への受信波の供給を接断する受信制御信号を発生する制御手段と、を具備するレーダ装置であって、
前記制御手段が、
方形波を発生する方形波発生器と、
前記方形波発生器から発生される方形波に基づき相互に逆位相である第１及び第２の切り換え信号を生成する切り換え信号生成部と、
前記切り換え信号生成部で生成された第１の切り換え信号の状態遷移時間を延長する遷移時間延長回路と、
前記切り換え信号生成部で生成された第２の切り換え信号の前縁で第１の状態に遷移し、前記遷移時間延長回路で遅延された第１の制御信号の後縁で前記第１の状態の反転状態である第２の状態に遷移する送信制御信号を生成する送信制御信号生成部と、
前記遷移時間延長回路で遅延された第１の制御信号の前縁で前記第２の状態に遷移し、前記切り換え信号生成部で生成された第２の切り換え信号の後縁で前記第１の状態に遷移する受信制御信号を生成する受信制御信号生成部と、を含むレーダ装置。
【請求項８】  アンテナに送信波を供給する送信手段と、
前記アンテナで受信された受信波を処理する受信手段と、
前記送信手段から前記アンテナへの送信波の供給を接断する送信制御信号ならびに前記送信制御信号の反転信号である前記アンテナから前記受信手段への受信波の供給を接断する受信制御信号を発生する制御手段と、を具備するレーダ装置であって、
前記制御手段が、
方形波を発生する方形波発生器と、
前記方形波発生器から発生される方形波に基づき相互に逆位相である第１及び第２の切り換え信号を生成する切り換え信号生成部と、
前記切り換え信号生成部で生成された第１の切り換え信号が、第１の状態となった時にその出力である送信制御信号を前記第１の状態にプルアップする送信側プルアップ手段、および前記第１の状態の反転状態である第２の状態となった時にその出力である送信制御信号を前記第２の状態にプルダウンする送信側プルダウン手段と、
前記切り換え信号生成部で生成された第２の切り換え信号が、前記第１の状態となった時にその出力である受信制御信号を前記第１の状態にプルアップする受信側プルアップ手段、および前記第２の状態となった時にその出力である受信制御信号を前記第２の状態に受信側プルダウンするプルダウン手段と、を含むレーダ装置。
【請求項９】  アンテナに送信波を供給する送信手段と、
前記アンテナで受信された受信波を処理する受信手段と、
前記送信手段から前記アンテナへの送信波の供給を接断する送信制御信号ならびに前記送信制御信号の反転信号である前記アンテナから前記受信手段への受信波の供給を接断する受信制御信号を発生する制御手段と、を具備するレーダ装置であって、
前記制御手段が、
方形波を発生する方形波発生器と、
前記方形波発生器から発生される方形波に基づき相互に逆位相である第１及び第２の切り換え信号を生成する切り換え信号生成部と、
前記切り換え信号生成部で生成された第１の切り換え信号の状態遷移時間を延長する遷移時間延長回路と、
前記切り換え信号生成部で生成された第２の切り換え信号の前縁で第１の状態に遷移し、前記遷移時間延長回路で遅延された第１の制御信号の後縁で前記第１の状態の反転状態である第２の状態に遷移する第１の制御信号を生成する第１の制御信号生成部と、
前記遷移時間延長回路で遅延された第１の制御信号の前縁で前記第２の状態に遷移し、前記切り換え信号生成部で生成された第２の切り換え信号の後縁で前記第１の状態に遷移する第２の制御信号を生成する第２の制御信号生成部と、
前記第１の制御信号生成部で生成された第１の切り換え信号が、第１の状態となった時にその出力である送信制御信号を前記遷移時間延長回路による延長時間以内に前記第１の状態にプルアップする送信側プルアップ手段、および前記第１の状態の反転状態である第２の状態となった時にその出力である送信制御信号を前記遷移時間延長回路による延長時間以内に前記第２の状態にプルダウンする送信側プルダウン手段と、
前記第２の制御信号生成部で生成された第２の切り換え信号が、前記第１の状態となった時にその出力である受信制御信号を前記遷移時間延長回路による延長時間以内に前記第１の状態にプルアップする受信側プルアップ手段、および前記第２の状態となった時にその出力である受信制御信号を前記遷移時間延長回路による延長時間以内に前記第２の状態にプルダウンする受信側プルダウン手段と、を含むレーダ装置。
【請求項１０】  １つのアンテナを送受信に共用するレーダ装置において前記アンテナを受信状態又は送信状態に切り換える方法において、
前記アンテナへの送信波の供給を接断する送信制御信号を生成するステップと、
前記アンテナからの受信波の供給を接断する受信制御信号を生成するステップと、
前記送信制御信号及び前記受信制御信号の中の一方の制御信号が状態遷移を完了するまで他方の制御信号の状態遷移を遅延するステップと、
を含む、送受信切り換え方法。
【請求項１１】  １つのアンテナを送受信に共用するレーダ装置において前記アンテナを受信状態又は送信状態に切り換える方法において、
前記アンテナへの送信波の供給を接断する送信制御信号を生成するステップと、
前記アンテナからの受信波の供給を接断する受信制御信号を生成するステップと、
前記送信制御信号及び前記受信制御信号の中の一方の制御信号が状態制御を完了するまで他方の制御信号の状態制御を第１の遅延時間だけ遅延するステップと、
前記送信制御信号及び前記受信制御信号の中の一方の制御信号が状態遷移時間を前記第１の遅延時間より短い時間に短縮するステップと、
を含む、送受信切り換え方法。
【手続補正３】
【補正対象書類名】明細書
【補正対象項目名】０００１
【補正方法】変更
【補正の内容】
【０００１】
【発明の属する技術分野】
本発明はレーダ装置及び送受信切り換え方法に係わり、特に１つのアンテナを送受信に共用するレーダ装置と、アンテナの送受信を切り換える方法に関する。
【手続補正４】
【補正対象書類名】明細書
【補正対象項目名】００１５
【補正方法】変更
【補正の内容】
【００１５】
【課題を解決するための手段】
第１の発明に係るレーダ装置は、アンテナに送信波を供給する送信手段と、アンテナで受信された受信波を処理する受信手段と、送信手段からアンテナへの送信波の供給を接断する送信制御信号ならびに送信制御信号の反転信号であるアンテナから受信手段への受信波の供給を接断する受信制御信号を発生する制御手段と、を具備するレーダ装置であって、制御手段が、送信制御信号及び受信制御信号の中の一方の制御信号がオフ状態への遷移を完了するまで他方の制御信号の状態遷移を第１の遅延時間だけ遅延させる第１の遅延手段を含む。
【手続補正５】
【補正対象書類名】明細書
【補正対象項目名】００１９
【補正方法】変更
【補正の内容】
【００１９】
第５の発明に係るレーダ装置は、アンテナに送信波を供給する送信手段と、アンテナで受信された受信波を処理する受信手段と、送信手段からアンテナへの送信波の供給を接断する送信制御信号ならびに送信制御信号の反転信号であるアンテナから受信手段への受信波の供給を接断する受信制御信号を発生する制御手段と、を具備するレーダ装置であって、制御手段が、送信制御信号及び受信制御信号の中の一方の制御信号が状態遷移を完了するまで他方の制御信号の状態遷移を第１の遅延時間だけ遅延させる第１の遅延手段と、送信制御信号及び受信制御信号の中の一方の制御信号の状態遷移時間を第１の遅延時間より短時間である第１の遷移時間に短縮する第１の遷移時間短縮手段とを含む。
【手続補正６】
【補正対象書類名】明細書
【補正対象項目名】００２２
【補正方法】変更
【補正の内容】
【００２２】
本発明にあっては、送信制御信号及び受信制御信号の一方が状態遷移を完了するまでは他方の状態遷移が遅延される。第８の発明に係るレーダ装置は、制御手段が、方形波を発生する方形波発生器と、方形波発生器から発生される方形波に基づき相互に逆位相である第１及び第２の切り換え信号を生成する切り換え信号生成部と、切り換え信号生成部で生成された第１の切り換え信号が第１の状態となった時にその出力である送信制御信号を第１の状態にプルアップする送信側プルアップ手段および第１の状態の反転状態である第２の状態となった時にその出力である送信制御信号を第２の状態にプルダウンする送信側プルダウン手段と、切り換え信号生成部で生成された第２の切り換え信号が第１の状態となった時にその出力である受信制御信号を第１の状態にプルアップする受信側プルアップ手段および第２の状態となった時にその出力である受信制御信号を第２の状態に受信側プルダウンするプルダウン手段と、を含む。
【手続補正７】
【補正対象書類名】明細書
【補正対象項目名】００２３
【補正方法】変更
【補正の内容】
【００２３】
本発明にあっては、送信制御信号及び受信制御信号の状態反転が強制的に行われる。第９の発明に係るレーダ装置は、制御手段が、方形波を発生する方形波発生器と、方形波発生器から発生される方形波に基づき相互に逆位相である第１及び第２の切り換え信号を生成する切り換え信号生成部と、切り換え信号生成部で生成された第１の切り換え信号の状態遷移時間を延長する遷移時間延長回路と、切り換え信号生成部で生成された第２の切り換え信号の前縁で第１の状態に遷移し遷移時間延長回路で遅延された第１の制御信号の後縁で第１の状態の反転状態である第２の状態に遷移する第１の制御信号を生成する第１の制御信号生成部と、遷移時間延長回路で遅延された第１の制御信号の前縁で第２の状態に遷移し切り換え信号生成部で生成された第２の切り換え信号の後縁で第１の状態に遷移する第２の制御信号を生成する第２の制御信号生成部と、第１の制御信号生成部で生成された第１の切り換え信号が第１の状態となった時にその出力である送信制御信号を遷移時間延長回路による延長時間以内に第１の状態にプルアップする送信側プルアップ手段および第１の状態の反転状態である第２の状態となった時にその出力である送信制御信号を遷移時間延長回路による延長時間以内に第２の状態にプルダウンする送信側プルダウン手段と、第２の制御信号生成部で生成された第２の切り換え信号が第１の状態となった時にその出力である受信制御信号を遷移時間延長回路による延長時間以内に第１の状態にプルアップする受信側プルアップ手段および第２の状態となった時にその出力である受信制御信号を遷移時間延長回路による延長時間以内に第２の状態にプルダウンする受信側プルダウン手段と、を含む。
【手続補正８】
【補正対象書類名】明細書
【補正対象項目名】００２４
【補正方法】変更
【補正の内容】
【００２４】
本発明にあっては、送信制御信号及び受信制御信号の一方が状態遷移を完了するまでは他方の状態遷移が遅延されると共に、送信制御信号及び受信制御信号の状態反転が強制的に行われる。
第１０の発明に係るレーダ装置における送受信切り換え方法は、アンテナへの送信波の供給を接断する送信制御信号を生成するステップと、アンテナからの受信波の供給を接断する受信制御信号を生成するステップと、送信制御信号及び受信制御信号の中の一方の制御信号が状態遷移を完了するまで他方の制御信号の状態遷移を遅延するステップと、を含む。
【手続補正９】
【補正対象書類名】明細書
【補正対象項目名】００２５
【補正方法】変更
【補正の内容】
【００２５】
第１１の発明に係るレーダ装置における送受信切り換え方法は、アンテナへの送信波の供給を接断する送信制御信号を生成するステップと、アンテナからの受信波の供給を接断する受信制御信号を生成するステップと、送信制御信号及び受信制御信号の中の一方の制御信号が状態制御を完了するまで他方の制御信号の状態制御を第１の遅延時間だけ遅延するステップと、送信制御信号及び受信制御信号の中の一方の制御信号が状態遷移時間を第１の遅延時間より短い時間に短縮するステップと、を含む。